(57)【特許請求の範囲】
【請求項１】
躯体側取付部材と、この躯体側取付部材の先端部に一対のリンクを介して閉位置と開位置との間を回動可能に連結された扉側取付部材と、上記扉側取付部材を上記閉位置と上記開位置との間の所定の中立位置から上記閉位置まで回動させる回動付勢手段とを備え、上記躯体側取付部材の先端部には、上記一対のリンクの回動軸線方向と、上記躯体側取付部材の先端部と後端部とを結ぶ方向との両方向に対して直交する方向に突出する突出部が形成され、この突出部に上記一対のリンクが回動可能に取り付けられたスライドヒンジにおいて、
上記躯体側取付部材には、当接部材が上記躯体側取付部材及び上記突出部と別体に設けられ、この当接部材には、上記突出部の突出方向を向く当接面が設けられ、この当接面が、上記躯体側取付部材における上記突出部より後端側の部分に対し上記突出部の突出方向において前方に配置され、
上記扉側取付部材には、移動可能な可動部材及びこの可動部材の移動速度を低速に抑えるダンパ機構を有するダンパ装置が設けられ、
上記扉側取付部材の上記中立位置から上記閉位置側への閉回動時に、上記扉側取付部材が上記閉位置から所定の角度だけ手前の当接位置に達すると、上記可動部材が上記当接部材の当接面に接触し、上記扉側取付部材の上記当接位置から上記閉位置までの閉回動に伴って、上記可動部材が上記当接面上を後端側へ向かって摺動するとともに、上記当接面によって移動させられることを特徴とするダンパ付きスライドヒンジ。
【請求項２】
上記扉側取付部材の上記閉回動時に上記扉側取付部材が上記当接位置から所定の角度だけ手前の前当接位置に達すると、上記可動部材が上記突出部の先端面に接触し、上記扉側取付部材の上記前当接位置から上記閉位置側への回動に伴って、上記可動部材が上記突出部の先端面上を後端側へ向って摺動するとともに、上記先端面によって移動させられ、上記当接面の少なくとも上記突出部に隣接する先端部が上記突出部の先端面の後方延長上に配置され、上記扉側取付部材が閉回動して上記当接位置に達すると、上記可動部材が突出部の先端面から上記当接部材の上記当接面上に乗り移って当該当接面上を摺動することを特徴とする請求項１に記載のダンパ付きスライドヒンジ。
【発明の詳細な説明】
【技術分野】
【０００１】
この発明は、ダンパ装置を備えたダンパ付きスライドヒンジに関する。
【背景技術】
【０００２】
一般に、家具等に用いられるスライドヒンジは、家具の躯体の内側面に取り付けられる躯体側取付部材と、この躯体側取付部材に一対のリンクを介して閉位置と開位置との間を水平方向へ回動可能に連結され、家具の扉の背面に固定される扉側取付部材と、この扉側取付部材が閉位置と開位置との間の所定の中立位置と閉位置との間に位置すると、扉側取付部材を閉位置に向って回動付勢する回動付勢手段とを備えている。このようなスライドヒンジにおいては、扉を開位置から閉位置に向って中立位置まで閉回動させると、その後は扉が回動付勢手段によって閉位置まで閉回動させられる。扉は、閉位置に達したときには比較的高速になっている。扉が高速で閉位置まで回動すると、家具としての格調が低くなってしまうという問題がある。また、扉が躯体に高速で衝突して大きな打撃音が発生するという問題がある。
【０００３】
そこで、最近ではダンパ装置を備えたダンパ付きスライドヒンジが多用されている。ダンパ付きスライドヒンジは、下記特許文献１に記載されているように、扉側取付部材にダンパ装置が設けられている。ダンパ装置は、進退可能な可動部材と、この可動部材の後退速度を低速に抑えるダンパ機構部とを有しており、扉が閉位置から中立位置を越えて所定の当接位置に達すると、可動部材が躯体側取付部材の先端部に突き当たる。その後、可動部材は、扉の閉位置側への回動に伴って躯体側取付部材上を後端側に向って摺動するとともに、躯体側取付部材によって後退移動させれられる。このとき、可動部材の後退移動がダンパ機構によって低速に抑えられ、扉の閉回動速度が低速に抑えられる。この結果、家具としての高級感が得られる。また、扉の躯体への衝突時に大きな打撃音が発生することを防止することができる。
【０００４】
ところで、スライドヒンジには、下記特許文献２に記載のように、躯体側取付部材の先部に突出部が設けられたものがある。突出部は、一対のリンクの回動軸線方向と、躯体側取付部材の先端部と後端部とを結ぶ方向との両方向に対して直交する方向に突出させられている。つまり、躯体側取付部材が取り付けられた躯体の一方の内側面から他方の内側面に向って突出させられている。そして、突出部に一対のリンクが回動可能に設けられている。これにより、扉が開位置に回動したときに、扉を一方の内面側から他方の内側面側へ向う方向においてできる限り前方に位置させるようにしている。
【０００５】
【特許文献１】実用新案登録第３１２９１７２号公報
【特許文献２】実開昭６３−７５２７７号公報
【発明の開示】
【発明が解決しようとする課題】
【０００６】
突出部を有するスライドヒンジにおいても、ダンパ装置を取り付けることが要望されている。そのようなスライドヒンジにダンパ装置を設けた場合には、可動部材が突出部の先端面に突き当たり、扉の閉回動に伴って突出部の先端面上を後端側に摺動する。ところが、可動部材は、扉が閉位置に達する前に突出部の先端面から後端側に外れてしまう。したがって、その後はダンパ効果が得られなくなってしまう。また、スライドヒンジによっては、可動部材を突出部に突き当てるように設計することができないこともある。いずれにしても、突出部を有するスライドヒンジの場合には、ダンパ効果を得るようにダンパ装置を取り付けることができない。このため、突出部を有する従来のスライドヒンジには、ダンパ装置を備えたものがなかった。
【課題を解決するための手段】
【０００７】
この発明は、上記の問題を解決するために、躯体側取付部材と、この躯体側取付部材の先端部に一対のリンクを介して閉位置と開位置との間を回動可能に連結された扉側取付部材と、上記扉側取付部材を上記閉位置と上記開位置との間の所定の中立位置から上記閉位置まで回動させる回動付勢手段とを備え、上記躯体側取付部材の先端部には、上記一対のリンクの回動軸線方向と、上記躯体側取付部材の先端部と後端部とを結ぶ方向との両方向に対して直交する方向に突出する突出部が形成され、この突出部に上記一対のリンクが回動可能に取り付けられたスライドヒンジにおいて、上記躯体側取付部材には、当接部材が上記躯体側取付部材及び上記突出部と別体に設けられ、この当接部材には、上記突出部の突出方向を向く当接面が設けられ、この当接面が、上記躯体側取付部材における上記突出部より後端側の部分に対し上記突出部の突出方向において前方に配置され、上記扉側取付部材には、移動可能な可動部材及びこの可動部材の移動速度を低速に抑えるダンパ機構を有するダンパ装置が設けられ、上記扉側取付部材の上記中立位置から上記閉位置側への閉回動時に、上記扉側取付部材が上記閉位置から所定の角度だけ手前の当接位置に達すると、上記可動部材が上記当接部材の当接面に接触し、上記扉側取付部材の上記当接位置から上記閉位置までの閉回動に伴って、上記可動部材が上記当接面上を後端側へ向かって摺動するとともに、上記当接面によって移動させられることを特徴としている。
この場合、上記扉側取付部材の上記閉回動時に上記扉側取付部材が上記当接位置から所定の角度だけ手前の前当接位置に達すると、上記可動部材が上記突出部の先端面に接触し、上記扉側取付部材の上記前当接位置から上記閉位置側への回動に伴って、上記可動部材が上記突出部の先端面上を後端側へ向って摺動するとともに、上記先端面によって移動させられ、上記当接面の少なくとも上記突出部に隣接する先端部が上記突出部の先端面の後方延長上に配置され、上記扉側取付部材が閉回動して上記当接位置に達すると、上記可動部材が突出部の先端面から上記当接部材の上記当接面上に乗り移って当該当接面上を摺動することが望ましい。
【発明の効果】
【０００８】
上記特徴構成を有するこの発明によれば、扉側取付部材がその閉回動時に所定の当接位置に達すると、可動部材が当接部材の当接面に接触する。その後、扉側取付部材が当接位置から閉位置まで閉回動するときには、可動部材が当接面上を摺動するとともに、当接面によって移動させられる。このとき、可動部材の移動速度がダンパ機構によって低速に抑えられる。したがって、躯体側取付部材に突出部が設けられたスライドヒンジにおいても、ダンパ装置を取り付けることができ、そのダンパ装置によって閉位置近傍での扉側取付け部材の閉回動速度を低速に抑えることができる。
また、可動部材を突出部の先端面に接触させるようにした場合には、可動部材が突出部の先端面から当接部材の当接面に乗り移るまでの間に扉が閉回動する角度分だけ扉の回動速度が低速に抑えられる角度範囲を広くすることができる。さらに、当接面が先端面の延長上に位置しているので、可動部材が突出部の先端面から当接部材の当接面に円滑に乗り移ることができる。
【発明を実施するための最良の形態】
【０００９】
以下、この発明を実施するための最良の形態を、図面を参照して説明する。
図１は、この発明に係るダンパ付きスライドヒンジ１が用いられた家具Ａを示す．家具Ａは、前面部が開口した直方体状の躯体Ｂと、この躯体Ｂの開口部を開閉する板状の扉Ｃとを備えている。扉Ｃは、その一側部（図１において左側部）が躯体Ｂの一側部に二つのダンパ付きスライドヒンジ１，１（下側のスライドヒンジ１については、後述するダンパ装置３が省略されている。）を介して水平方向へ回動可能に支持されている。扉Ｃは、躯体Ｂの開口部を閉じた閉位置と、この閉位置からほぼ９０°離れた図１に示す開位置との間を回動可能である。スライドヒンジ１は、家具Ａ以外のものにも適用可能である。
【００１０】
ダンパ付きスライドヒンジ１は、図２〜図４に示すように、ヒンジ部２、ダンパ装置３及び当接部材４を備えている。
【００１１】
ヒンジ部２は、基部２１を有している。この基部２１は、躯体Ｂの一側部内面（図１において、左側部内面。以下、上下及び前後左右は、図１における上下及び前後左右を意味するものとする。）に固定されている。基部２１には、第１中間部材２２が上下方向（図３において、図面の表裏方向）へ位置調節可能に設けられ、ボルトＢ１によって固定されている。第１中間部材２２には、第２中間部材２３が公知の取付構造により着脱可能に取り付けられている。第２中間部材２３には、長手方向を前後方向（図３において、左右方向）に向けた躯体側取付部材２４が前後方向へ位置調節可能に設けられており、ボルトＢ２によって固定されている。第２中間部材２３の先端部と躯体側取付部材２４の先端部との間には、調節ねじＢ３が設けられている。この調節ねじＢ３によって躯体側取付部材２４の先端部が左右方向（図３において上下方向）へ位置調節されるようになっている。したがって、躯体側取付部材２４は、躯体Ｂに対して着脱可能である。しかも、躯体側取付部材２４の少なくとも先端部は、躯体Ｂに対し上下及び前後左右方向へ位置調節可能である。躯体側取付部材２４は、躯体Ｂに直接固定してもよい。
【００１２】
躯体側取付部材２４の先端部（躯体Ｂの前側に位置する端部）は、突出部２４ａが形成されている。この突出部２４ａは、躯体Ｂの一側部から他側部へ向う方向、つまり右方に向かって水平に突出している。この突出部２４ａには、一対のリンク２５，２６の一端部が、軸線を上下方向に向けた軸Ｓ１，Ｓ２を介して水平方向へ回動可能に連結されている。ここで、軸Ｓ１，Ｓ２の軸線方向及び躯体側取付部材２４の前後方向を用いて突出部２４ａの突出方向を定義すると、突出部２４ａは、軸Ｓ１，Ｓ２の軸線方向と、躯体側取付部材２４の先端部と後端部とを結ぶ方向との両方向に対して直交する方向に突出している。突出部２４ａの先端面２４ｂは、後方へ向うにしたがって躯体Ｂの一側部内面に接近するように若干傾斜させられている。先端面２４ｂは、逆向きに傾斜させてもよく、あるいは一側部内面と平行に延びる平面としてもよい。
【００１３】
一対のリンク２５，２６の他端部は、扉側取付部材２７に軸Ｓ１，Ｓ２と平行な軸Ｓ３，Ｓ４を介して回動可能に連結されている。この結果、扉側取付部材２７が躯体側取付部材２４に水平方向へ回動可能に支持されている。扉側取付部材２７は、扉Ｃの背面の左側部に固定されている。したがって、扉Ｃの左側部は、躯体Ｂの左側部にヒンジ部２を介して水平方向へ回動可能に支持されている。これから明らかなように、扉側取付部材２７と扉Ｃとは、一体に回動する。そこで、両者の回動位置には、同一の名称を付すものとする。
【００１４】
図３及び図８に示すように、扉Ｃ（扉側取付部材２７）が開位置に回動すると、リンク２５が軸Ｓ４に突き当たる。これによって、扉Ｃの開位置が定められている。図１１に示すように、扉Ｃが閉位置に回動すると、リンク２６が軸Ｓ３に突き当たる。これによって、扉Ｃの閉位置が定められている。扉Ｃの開位置及び閉位置は、公知の他の方法によって、例えば扉Ｃを躯体Ｂに突き当てることによって定めてもよい。
【００１５】
一対のリンク２５，２６の少なくとも一方と躯体側取付部材２４との間には、コイルばね等の弾性部材からなる回動付勢手段（図示せず）が周知の態様で設けられている。この回動付勢手段は、扉Ｃが閉位置と開位置との間の所定の中立位置、例えば閉位置から開位置へ向って４５°だけ離れた位置と、閉位置との間に位置しているときには、一方のリンクを介して扉Ｃを閉位置側へ回動付勢して閉位置まで回動させる。逆に、扉Ｃが中立位置と開位置との間に位置しているときには、一方のリンクを介して扉Ｃを開位置側へ回動付勢して開位置まで回動させる。
【００１６】
躯体側取付部材２４には、当接部材４が着脱可能に固定されている。当接部材４は、突出部２４ａより後端側に配置されており、突出部２４ａの突出方向を向く躯体側取付部材２４の外面を覆っている。当接部材４の右方（突出部２４ａの突出方向）を向く面の先端部には、当接面４１が形成されている。この当接面４１は、突出部２４ａの先端面２４ｂの後方延長上に位置するように配置されている。したがって、当接面４１は、先端面２４ｂと同一方向へ同一角度で傾斜している。しかも、当接面４１の先端縁（突出部２４ａに隣接する端縁）は、当接面４１が先端面２４ｂから僅かに後方へ離間している分だけ先端面２４ｂの後端縁より左側に位置している。当接面４１の先端縁は、先端面２４ｂにできる限り接近させることが望ましく、先端面２４ｂの後端縁に接触させることが特に望ましい。そのようにした場合には、当接面４１の先端縁が、先端面２４ｂの後端縁と左右方向において同一位置に配置される。また、当接面４１は、上下方向においては突出部２４ａの先端面２４ｂとほぼ同一位置に配置されている。
【００１７】
当接部材４には、これを左右方向に貫通する二つの貫通孔４２，４３が形成されている。一方の貫通孔４２は、当接部材４の後端部に配置され、ボルトＢ２と対向している。他方の貫通孔４３は、当接面４１に形成されており、ボルトＢ３と対向している。したがって、貫通孔４２，４３からドライバ等のねじ回し工具を挿入してボルトＢ２，Ｂ３をそれぞれ回動操作することができる。これにより、当接部材４を躯体側取付部材２４に取り付けた状態で、躯体側取付部材２４を前後方向及び左右方向へ位置調節することができる。勿論、当接部材４のボルトＢ１と対向する箇所にも貫通孔を形成し、この貫通孔を通してボルトＢ１を回動操作するようにしてもよい。
【００１８】
ダンパ装置３は、ハウジング３１を有している。ハウジング３１は、ボルト等の固定手段（図示せず）により扉Ｃの背面に着脱可能に取り付けられている。しかも、ハウジング３１は、その一端部（扉Ｃを開位置に位置させたときに躯体Ｂ側に位置する端部）が扉側取付部材２７に係脱可能に係合されており、それによって位置決めされている。
【００１９】
ハウジング３１には、収容孔３１ａが形成されている。この収容孔３１ａは、扉Ｃを開位置に回動させたときにほぼ前後方向に延びるように配置されている。したがって、扉Ｃを閉位置に回動させたときには、左右方向に延びることになる。扉Ｃを開位置に回動させたときに躯体Ｂ側に位置する収容孔３１ａの一端部は開口しており、他端部は底部３１ｂによって閉じられている。
【００２０】
収容孔３１ａには、その開口部からダンパユニット３２が挿入されている。ダンパユニット３２は、シリンダ（可動部材）３３とロッド３４とを有している。シリンダ３３は、図３において左側に位置する一端部を除く大部分が収容孔３１ａの開口部側の端部に移動可能に収容されている。ロッド３４は、収容孔３１ａの底部３１ｂ側の端部に収容されている。ロッド３４の一端部は、シリンダ３３にその長手方向へ移動可能に収容されている。ロッド３４の他端部は、シリンダ３３から突出しており、収容孔３１ａの底部３１ｂに突き当たっている。したがって、ロッド３４は、移動することがなく、シリンダ３３がロッド３４に対して移動する。
【００２１】
シリンダ３３の内部には、ダンパ機構部（図示せず）が設けられている。ダンパ機構部は、少なくともシリンダ３３がロッド３４に対して底部３１ｂ側へ移動（以下、後退移動という。）するときに、その移動速度を低速に抑える。また、底部３１ｂ側へ後退移動したシリンダ３３を図４に示す初期位置まで移動（以下、前進移動という。）させる。
【００２２】
シリンダ３３には、従動部材３５が着脱可能に取り付けられている。従動部材３５には、筒部３５ａが形成されている。この筒部３５ａは、扉Ｃを開位置に回動させたときに前後方向に延びるように配置されている。筒部３５ａの躯体Ｂ側に位置する一端部は開口し、他端は底部３５ｂによって閉じられている。筒部３５ａには、シリンダ３３の先端部が挿脱可能に挿入されている。しかも、シリンダ３３は、筒部３５ａに所定の大きさの摩擦抵抗をもって挿入されるのみならず、底部３５ｂに突き当たっている。したがって、従動部材３５は、シリンダ３３と一体に前進後退移動する。
【００２３】
筒部３５ａの一側部、つまり図１１に示すように、扉Ｂが閉位置に回動したときに躯体Ｂの後端側を向く側部には、当接部３５ｃが一体に設けられている。当接部３５ｃは、図９に示すように、扉Ｂ（扉側取付部材２７）が開位置から閉位置に向って閉回動する場合において、中立位置を越えて所定の前当接位置（例えば、閉位置から開位置へ向って３０°だけ離れた位置）に達すると、当接部３５ｃの先端部が突出部２４ａの先端面２４ｂに突き当たるように配置されている。
【００２４】
扉Ｃが前当接位置から閉位置に向って回動するときには、扉側取付部材２７が左方（図９において下方）へ移動するともに、後方（図９において左方）へ移動する。換言すれば、扉側取付部材２７は、このように移動するように、躯体側取付部材２４に一対のリンク２５，２６を介して回動可能に連結されているのである。したがって、扉Ｃが前当接位置から閉位置側へ回動すると、当接部３５ｃが先端面２４ｂ上を躯体側取付部材２４の後端側へ向って摺動するとともに、当接部３５ｃひいては従動部材３５が先端面２４ｂによって相対的に後退移動させられる。その結果、シリンダ３３が後退移動させられる。このとき、シリンダ３３の後退移動速度がダンパ機構部によって低速に抑えられる。
【００２５】
扉Ｃが前当接位置からさらに閉回動して所定の後当接位置（当接位置）に達すると、当接部３５ｃの先端部が当接部材４の当接面４１の先端縁に突き当たる。当接部３５ｃの先端部は、扉Ｃが後当接位置から閉位置へ向って所定の角度だけ回動する間、当接面４１と先端面２４ｂとに同時に当接してもよく、扉Ｃが後当接位置に達した瞬間に先端面２４ｂから離間するとともに、当接面４１に突き当たるようにしてもよい。いずれにしても、扉Ｃが閉回動時に後当接位置に達した後は、当接部３５ｃが先端面２４ｂから当接面４１に乗り移り、当接面４１上を摺動する。しかも、当接面４１によって当接部材３５が後退移動させられ、ひいてはシリンダ３３が後退移動させられる。勿論、このときもシリンダ３３の後退移動速度がダンパ機構部によって低速に抑えられる。
【００２６】
上記躯体Ｂと扉Ｃとがスライドヒンジ１によって回動可能に連結された家具Ａにおいて、いま扉Ｃが図１及び図８に示す開位置に位置しているものとする。扉Ｃが開位置から閉位置に向かって回動させられて中立位置を越えると、扉Ｃはヒンジ部２の回動付勢手段によって閉回動させられる。扉Ｃが前当接位置まで閉回動すると、図９に示すように、当接部３５ｃが突出部２４ａの先端面２４ｂに突き当たる。この結果、扉Ｃの閉回動に伴ってシリンダ３３が後退移動させられる。このとき、シリンダ３３の後退移動速度がダンパ装置３のダンパ機構部によって低速に抑えられる。扉Ｃが前当接位置から後当接位置まで閉回動すると、当接部３５ｃが先端面２４ｂから当接面４１上に乗り移る。このとき、当接面４１が先端面２４ｂの後方延長上に位置しているので、当接部３５ｃは先端面２４ｂから当接面４１に円滑に乗り移ることができる。その後、当接部３５ｃは、扉Ｃの閉回動に伴って当接面４１上を後方へ向って摺動する。ここで、当接面４１には、貫通孔４３が形成されているが、当接部３５ｃは貫通孔４３を跨いて摺動する。したがって、当接部３５ｃの円滑な摺動を貫通孔４３によって阻害されることはない。また、扉Ｃの閉回動に伴って当接部３５ｃが後退移動させられ、ひいてはシリンダ３３が後退移動させられる。このとき、シリンダ３３の後退移動速度は、ダンパ装置３のダンパ機構部により扉Ｃが閉位置に達するまで低速に抑えられる。したがって、家具に高級感を出すことができる。また、扉Ｃが閉位置に達したときに躯体Ｂに突き当たるようになっていたとしても、大きな衝突音が発生することを防止することができる。
【００２７】
扉Ｃを閉位置から開位置まで回動させる場合において、扉Ｃが閉位置から後当接位置まで回動する間は、当接部３５ｃが当接面４１上を先端側に向って摺動する。それに伴ってシリンダ３３及び従動部材３５がダンパ機構部によって前進移動させられる。扉Ｃが後当接位置を越えて前当接位置に達するまでは、当接部３５ｃが先端面２４ｂ上を摺動し、シリンダ３３及び従動部材３５がさらに前進移動する。扉Ｃが前当接位置に達すると、当接部材３５及びシリンダ３３が初期位置に戻る。扉Ｃが前当接位置を越えると、当接部３５ｃが先端面２４ｂから離間する。その後、扉Ｃが中立位置を越えと、扉Ｃはヒンジ部２の回動付勢手段によって開位置まで回動させられる。
【００２８】
なお、この発明は、上記の実施の形態に限定されるものでなく、その要旨を逸脱しない範囲において適宜変更可能である。
例えば、上記の実施の形態においては、ロッド３４を収容孔３１ａの底部３１ｂに突き当てているが、ダンパユニット３２の向きを逆にし、シリンダ３３を底部３１ｂに突き当ててもよい。その場合には、ロッド３４が前進後退移動する可動部材になる。
また、上記の実施の形態においては、シリンダ（可動部材）３３が先端面２４ｂ及び当接面４１に従動部材３５を介して突き当てられているが、シリンダ３３を先端面２４ｂ及び当接面４１に直接突き当ててもよい。勿論、ロッド３４が可動部材とされるときには、ロッド３４を先端面２４ｂ及び当接面４１に直接突き当ててもよい。
また、上記の実施の形態においては、扉Ｃが開位置から前当接部材に達すると、従動部材３５の当接部３５ｃが突出部２４ａの先端面２４ｂに突き当たるようになっているが、従動部材３５を先端面２４ｂに突き当たらせることなく、当接部材４の当接面４１にだけ突き当たらせるようにしてもよい。その場合には、当接面４１を先端面２４ｂの後方延長上に配置する必要がなく、例えば当接面４１を先端面２４ｂに対して突出部２４ａの突出方向へ離間して配置してもよい。ただし、当接部３５ｃを先端面２４ｂに突き当たらせた場合には、当接部３５ｃが先端面２４ｂ上を摺動する間に扉Ｃが回動する角度の分だけ扉の閉回動速度を低速に抑える角度範囲を大きくすることができる。したがって、当接部３５ｃを先端面２４ｂに突き当たらせることが望ましい。
さらに、上記の実施の形態においては、当接面４１全体が突出部２４ａの先端面２４ｂの延長上に配置されているが、従動部材３５が先端面２４ｂから当接面４１に円滑に乗り移ることができるよう、当接面４１の先端部を先端面２４ｂの延長上に配置する限り、当接面４１の他の部分は先端面２４ｂの延長上から外してもよい。例えば、当接面４１を躯体の一側部内面と平行にしたり、あるいは後方に向うにしたがって一側部内面から離間するよう、先端面２４ｂと逆向きに傾斜させてもよい。
【図面の簡単な説明】
【００２９】
【図１】この発明に係るダンパ付きスライドヒンジが用いられた家具を、その扉を開位置に回動させた状態で示す斜視図である。
【図２】この発明に係るダンパ付きスライドヒンジの一実施の形態を、扉側取付部材を開位置に回動させた状態で示す斜視図である。
【図３】同実施の形態の縦断面図である。
【図４】同実施の形態の分解斜視図である。
【図５】同実施の形態において用いられている当接部材を示す平面図である。
【図６】同当接部材の底面図である。
【図７】同当接部材の縦断面図である。
【図８】図１に示す家具の要部を、扉を開位置に回動させた状態で示す断面図である。
【図９】同要部を、扉を前当接位置に回動させた状態で示す断面図である。
【図１０】同要部を、扉を後当接位置から若干閉位置側へ回動させた状態で示す断面図である。
【図１１】同要部を、扉を閉位置に回動させた状態で示す断面図である。
【符号の説明】
【００３０】
１  ダンパ付きスライドヒンジ
２  ヒンジ部
３  ダンパ装置
４  当接部材
２４  躯体側取付部材
２４ａ  突出部
２４ｂ  先端面
２５  リンク
２６  リンク
２７  扉側取付部材
３３  シリンダ（可動部材）
４１  当接面
【図１】
0004825236.tif 000002
【図２】
0004825236.tif 000003
【図３】
0004825236.tif 000004
【図４】
0004825236.tif 000005
【図５】
0004825236.tif 000006
【図６】
0004825236.tif 000007
【図７】
0004825236.tif 000008
【図８】
0004825236.tif 000009
【図９】
0004825236.tif 000010
【図１０】
0004825236.tif 000011
【図１１】
0004825236.tif 000012